(57)【要約】【課題】コンパクトでありながら熱交換性能に優れた空気調和機の室外機を提供する。【解決手段】圧縮機３を収納する機械室４と、熱交換器（図示せず）とファン（図示せず）を収納する熱交換部５を備え、前記圧縮機３の下に、屋内に設置される室内機（図示せず）と接続する接続配管８を配置する配管スペース９を設けたもので、機械室４がコンパクト化でき、これに相当する部分の熱交換部５を広げられるので、熱交換性能を向上することができる。【選択図】図２
2006078081.tif 000002
【特許請求の範囲】
【請求項１】
圧縮機を収納する機械室と、熱交換器とファンを収納する熱交換部を備え、前記圧縮機の下に、屋内に設置される室内機と接続する接続配管を配置する配管スペースを設けた空気調和機の室外機。
【請求項２】
圧縮機の少なくとも一部が固定されると共に、略コの字状に開口する配管スペースを形成する圧縮機取付具を設けた請求項１に記載の空気調和機の室外機。
【請求項３】
運搬時等に圧縮機取付具にかかる荷重を分散すると共に脱着可能な補助板を設けた請求項２に記載の空気調和機の室外機。
【請求項４】
補助板と、配管スペースの開口を覆う配管カバーとを一体に又は一体的に形成した請求項３に記載の空気調和機の室外機。
【発明の詳細な説明】
【技術分野】
【０００１】
本発明は、分離型の空気調和機の室外機に関するものである。
【背景技術】
【０００２】
従来、この種の空気調和機の室外機として、図３に示されるようなものがあった。図３において、室外機１は、底板２と、熱交換器５ａとファン５ｂを内蔵した熱交換部５と、熱交換部５の一側に隣り合う形で配置され圧縮機３を有する機械室４とから構成されている。そして、本体ケーシング１ａに対する圧縮機３の設置は、例えば圧縮機３の脚を防振ゴム１ｂ等を介して本体ケーシング１ａの底板１ｃ上にボルト・ナット（図示せず）等で取り付けて支持する構造が採用されていた。また、後ろ配管設置時は、圧縮機３の横に接続配管８が配置されるようになっていた（例えば、特許文献１参照）。
【特許文献１】特開平５−２９６４９６号公報
【発明の開示】
【発明が解決しようとする課題】
【０００３】
しかしながら、前記従来の空気調和機の構成では、後ろ配管設置を可能とするには、圧縮機３を避けて配管スペースを確保しなければならず、そのため機械室４を広げ、その分熱交換部５のスペースを減らすことになり、熱交換性能を低下させるという課題を有していた。
【０００４】
本発明は、前記従来の課題を解決するもので、高性能な空気調和機の室外機を提供することを目的とする。
【課題を解決するための手段】
【０００５】
前記従来の課題を解決するために、本発明の空気調和機の室外機は、圧縮機を収納する機械室と、熱交換器とファンを収納する熱交換部を備え、前記圧縮機の下に、屋内に設置される室内機と接続する接続配管を配置する配管スペースを設けたもので、機械室がコンパクト化でき、その分熱交換部が広げられ、性能を向上することができる。
【発明の効果】
【０００６】
本発明の空気調和機の室外機は、機械室をコンパクト化し、熱交換部を広げることができるので、熱交換性能が大幅に向上する。
【発明を実施するための最良の形態】
【０００７】
第１の発明は、圧縮機を収納する機械室と、熱交換器とファンを収納する熱交換部を備え、前記圧縮機の下に、屋内に設置される室内機と接続する接続配管を配置する配管スペースを設けたもので、機械室がコンパクト化でき、その分熱交換部が広げられ、性能を向上することができる。
【０００８】
第２の発明は、特に、第１の発明の圧縮機の少なくとも一部が固定されると共に、略コの字状に開口する配管スペースを形成する圧縮機取付具を設けたもので、接続配管を、略コの字状の開口を通して横から入れることができ、容易に前記配管スペースに配置することができ、設置の作業性が大きく向上する。
【０００９】
第３の発明は、特に、第２の発明の室外機の運搬時等に圧縮機取付具にかかる荷重を分散すると共に脱着可能な補助板を設けたもので、設置時の作業性を保ちながら、運搬時等に前記圧縮機取付具にかかる荷重が分散され、落下や振動等による破損を回避することができる。
【００１０】
第４の発明は、特に、第３の発明の補助板と、配管スペースの開口を覆う配管カバーとを一体に又は一体的に形成したもので、配管カバーを取り付ける際に補助板の固定も同時に行なわれるので、設置時の作業性を向上することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の室外機の概略図、図２は、同室外機の要部拡大概略図を示すものである。なお、従来例と同一部分については、同一符号を付してその説明を省略する。
【００１３】
図１、図２において、室外機１は、底板２と圧縮機３を有する機械室４と、熱交換器５ａとファン５ｂを収納した熱交換部５とから構成されている。圧縮機３は、底板２に固着された圧縮機取付具６とボルト７ａ、７ｂにより、底板２から距離をおいた高い位置に固定されている。圧縮機３の下には、略コの字状に開口すると共に接続配管８を配置する配管スペース９が、圧縮機取付具６と底板２で形成され、配管スペース９の開口部９ａには脱着可能な補助板１０が配管カバー１１と一体となって取り付けられている。
【００１４】
以上のように構成された空気調和機について、以下その動作、作用を説明する。
【００１５】
まず、圧縮機３の下に後ろ配管設置を行うための配管スペース９を構成することにより、機械室４の幅が小さくなってコンパクトになる。また、設置時には配管カバー１１と一体となった補助板１０を外すと、圧縮機取付具６と底板２で形成された配管スペース９が略コの字状に開口する。これにより接続配管８を本体ケーシング１ａの横から入れることが可能となる。
【００１６】
以上のように、本実施の形態によれば、圧縮機３が室外機１の底板２から距離をおいた高い位置に固定され、圧縮機３の下に後ろ配管設置を行うための配管スペース９を備えることにより、機械室４がコンパクト化でき、その分熱交換部５を広げることとなり性能を向上することができる。
【００１７】
また、圧縮機取付具６を備え、配管スペース７が略コの字状に開口することにより、接続配管８を横から入れて、容易に配管スペース７に配置することが可能となり設置の作業性を向上することができる。
【００１８】
また、脱着可能な補助板１０を備えることにより、設置時の作業性を確保しながら、運搬時等に圧縮機取付具６にかかる荷重を分散することができ、落下、振動等による破損を回避することができる。
【００１９】
また、本実施の形態では脱着可能な補助板１０を配管カバー１１と一体としたことにより、設置時の作業性を向上することができる。
【産業上の利用可能性】
【００２０】
以上のように、本発明にかかる空気調和機の室外機は、圧縮機の下に接続配管を配置する配管スペースを備えることにより、機械室がコンパクト化でき、熱交換部を広げることとなり性能を向上することが可能となるもので、家庭用、業務用冷蔵庫、冷凍庫等の用途にも適用できる。
【図面の簡単な説明】
【００２１】
【図１】本発明の実施の形態１における空気調和機の室外機の概略図
【図２】同室外機の要部拡大概略図
【図３】従来の空気調和機の室外機の概略図
【符号の説明】
【００２２】
１  室外機
２  底板
３  圧縮機
４  機械室
５  熱交換部
５ａ  熱交換器
５ｂ  ファン
６  圧縮機取付具
７ａ、７ｂ  ボルト
８  接続配管
９  配管スペース
１０  補助板
１１  配管カバー
【図１】
2006078081.tif 000003
【図２】
2006078081.tif 000004
【図３】
2006078081.tif 000005